(57)【要約】【課題】  簡単な施工で、ガタつきがなく確実で、安全に取付けられ、経年変化もなく、シンプルなデザインで、多種な現在建築にも適合する物品保持部材を提供する。【解決手段】  断面が概略長方形のアルミ押出型材で一側面を壁面に取付けるレール本体と、他側面、上面、下面に物品を載置、支持、吊り下げ、又は掛けたりするアルミ押出型材のアタッチメントを備えた物品保持部材とした。【選択図】  図２４
2005160675.tif 000002
【特許請求の範囲】
【請求項１】
断面が概略長方形のアルミ押出型材で一側面を壁面に取付けるレール本体と、他側面、上面、下面に物品を載置、支持、吊り下げ、又は掛けたりするアルミ押出型材のアタッチメントを備えた物品保持部材。
【請求項２】
レール本体の一側面に、壁面に螺締するアルミ押出型材の受けレールを取付ける溝を刻設し、他側面にフック、レールフックを取付ける溝を刻設し、上面にアッパーラックを取付ける溝を刻設し、下面にワイヤーフック、ペーパーホルダー、アンダーラックを取付ける溝を刻設してなる請求項１記載の物品保持部材。
【発明の詳細な説明】
【技術分野】
【０００１】
本発明は、物品保持部材に関し、特に、壁面で物品を載置、支持、吊り下げ、又は掛けたりする物品保持部材についてのものである。
【背景技術】
【０００２】
壁面に物品を載置したり、支持、吊り下げ、又は掛けたりする物品保持部材は存在しない。
【特許文献１】特開２００３−２２５１２６号公報
【特許文献２】特開平１１−２５９７７０号公報
【発明の開示】
【発明が解決しようとする課題】
【０００３】
壁面に物品を載置したり、支持、吊り下げ、又は掛けたりする物品保持部材は存在しないので、簡単な施工で、ガタつきがなく確実で、安全に取付けられ、経年変化もなく、シンプルなデザインで、多種な現在建築にも適合する物品保持部材の提供が求められている。
【課題を解決するための手段】
【０００４】
そこで、本発明は、上記の事情に鑑み、簡単な施工で、ガタつきがなく確実で、安全に取付けられ、経年変化もなく、シンプルなデザインで、多種な現在建築にも適合する物品保持部材を提供すべく、断面が概略長方形のアルミ押出型材で一側面を壁面に取付けるレール本体と、他側面、上面、下面に物品を載置、支持、吊り下げ、又は掛けたりするアルミ押出型材のアタッチメントを備えた物品保持部材とした。
【０００５】
また、本発明は、具体的には、レール本体の一側面に、壁面に螺締するアルミ押出型材の受けレールを取付ける溝を刻設し、他側面にフック、レールフックを取付ける溝を刻設し、上面にアッパーラックを取付ける溝を刻設し、下面にワイヤーフック、ペーパーホルダー、アンダーラックを取付ける溝を刻設してなる物品保持部材とした。
【発明の効果】
【０００６】
本発明は、上述のように、断面が概略長方形のアルミ押出型材で一側面を壁面に取付けるレール本体と、他側面、上面、下面に物品を載置、支持、吊り下げ、又は掛けたりするアルミ押出型材のアタッチメントを備えた物品保持部材であるので、簡単な施工で、ガタつきがなく確実で、安全に取付けられ、経年変化もなく、シンプルなデザインで、多種な現在建築にも適合する物品保持部材が提供できる。
【０００７】
また、本発明は、具体的には、レール本体の一側面に、壁面に螺締するアルミ押出型材の受けレールを取付ける溝を刻設し、他側面にフック、レールフックを取付ける溝を刻設し、上面にアッパーラックを取付ける溝を刻設し、下面にワイヤーフック、ペーパーホルダー、アンダーラックを取付ける溝を刻設してなる。
【発明を実施するための最良の形態】
【０００８】
本発明を添付する図面の具体的な実施例に基づいて、以下詳細に説明する。
【０００９】
本発明の物品保持部材の実施例を、図１、図２、図３および図４に示す。
【００１０】
アルミ押出型材のレール本体１は、アルミ押出型材の受けレール２を介して壁面Ｗに取付ける。
【００１１】
図１ではレール本体１にアルミ押出型材のアッパーラック３と、アルミ押出型材のアンダーラック４を装着し、図２ではレール本体１にアルミ押出型材のレールフック５とアルミ押出型材のペーパーホルダー６を装着し、図３では、レール本体１にアルミ押出型材のレールフック７とペーパーホルダー６を装着し、図４ではレール本体１に吊りワイヤー８を装着した例を示す。
【００１２】
レール本体１は、図５、図６に詳細に示す。レール本体１は、断面が概略長方形のアルミ押出型材で、その一側面に受けレール２を取付ける溝９、他側面にレールフック５・７を取付ける溝１０、上面にアッパーラック３を取付ける溝１１、下面にペーパーホルダー６、吊りワイヤー８を取付ける溝１２をそれぞれ刻設する。
【００１３】
受けレール２は、図７、図８に詳細を示す。受けレール２は垂直状の板状体１３の中央部から上向き差込片１４を外方に向けて突出させる。この受けレール２は取付孔１５を穿設しておき、壁面Ｗにネジ１６で螺締する。壁面Ｗに螺締した受けレール２の上向き差込片１４に、図１に示すように溝９を嵌めてレール本体１を壁面Ｗに取付ける。
【００１４】
レール本体１の下部両側にタップ孔４９を貫通させておき、ネジ（図示せず）を螺着させておいて、受けレール２の高さが調整でき、また、レール本体１が受けレール２より外れないようにする。
【００１５】
アッパーラック３は、図９、図１０に詳細を示す。アッパーラック３は、水平棚板１７の下面の壁面Ｗ寄りから下向き連結片１８を突出する。なお、水平棚板１７上面の前後端部には水平棚板１７上面に載置した物品が落下しないように、停止縁部１９・２０を膨出する。レール本体１の溝１１に下向き連結片１８を、図１に示すように、側部より嵌めてアッパーラック３をレール本体１に装着する。
【００１６】
アンダーラック４は、図１１、図１２に詳細に示す。アンダーラック４は、水平棚板２１の壁面Ｗ寄りの上面より垂直板２２を起立させ、垂直板２２の上端に水平取付板２３を設け、水平取付板２３上面に上向き連結片２４を突出する。レール本体１の溝１２に上向き連結片２４を、図１に示すように、側部より嵌めてアンダーラック４をレール本体１に装着する。なお、水平棚板２１上面の前端部には水平棚板２１上面に載置した物品が落下しないように停止縁部２５を膨出する。また、水平棚板２１ができるだけ水平を保てるように、水平棚板２１の端面が壁面Ｗに確実に当接するように、寸法を若干（０．３ｍｍ程度）長めに設定する。アッパーラック３およびアンダーラック４には物品を載置する。
【００１７】
レールフック５は、図１３、図１４に詳細を示す。レールフック５は、垂直状の板状体２６の中央内面に下向き差込片２７を内方に向けて突出させ、板状体２６の下端外面に上向きフック片２８を外方に向けて突出させる。レール本体１の溝１０に下向き差込片２７を図２に示すように嵌めて、レールフック５をレール本体１に装着する。
【００１８】
レールフック５には物品の支持、吊り下げ、又は掛けたりする。
【００１９】
ペーパーホルダー６は図１５、図１６に詳細に示す。ペーパーホルダー６は、逆Ｕ字体２９と、逆Ｕ字体２９内に位置してペーパーを挟持する心棒３０と、心棒３０を逆Ｕ字体２９内に位置させるピン３１とよりなる。
【００２０】
図１７、図１８には逆Ｕ字体２９を示す。概略断面が逆Ｕ字の逆Ｕ字体２９の上面に上向き連結片３２を突出し、逆Ｕ字体２９の下方内面に係合斜面３３を形成し、逆Ｕ字体２９の中央にはペーパーを外すとき、心棒３０を上方へ移動させるための上下方向の調整孔３４を刻設する。
【００２１】
心棒３０は図１９、図２０に示され、円柱体３５から垂直片３６を垂下させ、中央側部に、図２１に示すピン３１を螺着するためのタップ孔３７が刻設してある。
【００２２】
図１５、図１６に示すように、心棒３０は逆Ｕ字体２９の側面から嵌め、調整孔３４にピン３１を嵌めて心棒３０のタップ孔３７に螺着させて、心棒３０が逆Ｕ字体２９から外れないようにする。
【００２３】
ペーパーを挟持する時は、ピン３１を調整孔３４内で上方に移動させ、逆Ｕ字体２９内面と心棒３０の円柱体３５の外周面との間で挟持する。心棒３０は重量があって係合斜面３３に当接して停止している。挟持しているペーパーを外す時は、ピン３１を調整孔３４に沿って上方へ持ち上げ、逆Ｕ字体２９内面と心棒３０の円柱体３５との間に隙間を作ってペーパーを外す。レール本体１の溝１２にペーパーホルダー６の上向き連結片３２を、図２に示すように側面から嵌め、ペーパーホルダー６をレール本体１に装着する。
【００２４】
レールフック７は、図１３、図１４に詳細を示す。レールフック７は、垂直状の板状体３７の中央内面に下向き差込片３８を内方に向けて突出させ、板状体３７の下端外面に基部３９を外方に向けて突出させる。基部３９にピン４０を外面上方に向けて所定間隔で設ける。
【００２５】
図３でのレールフック７、ペーパーホルダー６のレール本体１の装着は、図２の場合と全く同じで、図２と図３の相違はレールフックのフック部が相違するのみである。図３のレールフック７でも物品の支持、吊り下げ、又は掛けたりすることができる。
【００２６】
図４では吊りワイヤー８をレール本体１に装着する。吊りワイヤー８は、ワイヤー４１の上端に係合球体４２を固着し、ワイヤー４１の下部にループ４３を形成して保持管４４を挿通させ、保持管４４に螺着した止めネジ４５でワイヤー４１を固定する。レール本体１の溝１２に吊りワイヤー８の係合球体４２を、図４に示すように、側部から嵌めて、吊りワイヤー８をレール本体１に装着する。
【００２７】
この吊りワイヤー８では、２個平行に吊り下げ、ループ４３に丸材などを支持させられる。
【００２８】
図２１にピンを示す。
【００２９】
図２２では、上記の例を斜視図で示したものである。
【００３０】
フック４６、フック４７は上記では説明されてないが、フック４６はフック５を幅１５ｍｍ程度に切断したものであり、フック４７もフック７をピン４０を中心に幅１５ｍｍ程度に切断したものである。
【産業上の利用可能性】
【００３１】
本発明は、物品保持部材として述べたが、美術品などの展示用にも用いることができる。
【図面の簡単な説明】
【００３２】
【図１】受けレールを介して壁面に取付けたレール本体に、アッパーラックとアンダーラックを装着した状態の側面図である。
【図２】受けレールを介して壁面に取付けたレール本体に、レールフックとペーパーホルダーを装着した状態の側面図である。
【図３】受けレールを介して壁面に取付けたレール本体に、他のレールフックとペーパーホルダーを装着した状態の側面図である。
【図４】受けレールを介して壁面に取付けたレール本体に、吊りワイヤーを装着した状態の側面図である。
【図５】レール本体の正面図である。
【図６】レール本体の側面図である。
【図７】受けレールの正面図である。
【図８】受けレールの側面図である。
【図９】アッパーラックの正面図である。
【図１０】アッパーラックの側面図である。
【図１１】アンダーラックの正面図である。
【図１２】アンダーラックの側面図である。
【図１３】レールフックの正面図である。
【図１４】レールフックの側面図である。
【図１５】他のレールフックの正面図である。
【図１６】他のレールフックの側面図である。
【図１７】ペーパーホルダーの正面図である。
【図１８】ペーパーホルダーの側面図である。
【図１９】逆Ｕ字体の正面図である。
【図２０】逆Ｕ字体の側面図である。
【図２１】心棒の正面図である。
【図２２】心棒の側面図である。
【図２３】ピンの側面図である。
【図２４】本発明の物品保持部材の斜視図である。
【符号の説明】
【００３３】
１…レール本体
９…受けレールを取付ける溝
４６・４７…フック
５・７…レールフック
１０…レールフックを取付ける溝
３…アッパーラック
１１…アッパーラックを取付ける溝
６…ペーパーホルダー
８…吊りワイヤー
１２…ペーパーホルダー、吊りワイヤーを取付ける溝
【図１】
2005160675.tif 000003
【図２】
2005160675.tif 000004
【図３】
2005160675.tif 000005
【図４】
2005160675.tif 000006
【図５】
2005160675.tif 000007
【図６】
2005160675.tif 000008
【図７】
2005160675.tif 000009
【図８】
2005160675.tif 000010
【図９】
2005160675.tif 000011
【図１０】
2005160675.tif 000012
【図１１】
2005160675.tif 000013
【図１２】
2005160675.tif 000014
【図１３】
2005160675.tif 000015
【図１４】
2005160675.tif 000016
【図１５】
2005160675.tif 000017
【図１６】
2005160675.tif 000018
【図１７】
2005160675.tif 000019
【図１８】
2005160675.tif 000020
【図１９】
2005160675.tif 000021
【図２０】
2005160675.tif 000022
【図２１】
2005160675.tif 000023
【図２２】
2005160675.tif 000024
【図２３】
2005160675.tif 000025
【図２４】
2005160675.tif 000026